(57)【要約】【課題】複数の伝送速度での通信が共存するＰＯＮシステムにおいて、下り方向の通信帯域の効率的な利用を可能にする。【解決手段】加入者回線集約機器は、ＰＯＮシステムの複数の伝送速度にそれぞれ対応して設けられた、複数の送信ポートと、複数の送信ポートの各々から送られた下り方向のパケットを光信号に変換して、光信号を加入者回線に出力する光送信部と、パケットがマルチキャストパケットである場合に、マルチキャストパケットが配信されるべき加入者端末の属するマルチキャストグループの伝送速度に対応した送信ポートを、複数の送信ポートから選択して、その選択された送信ポートから光送信部にマルチキャストパケットが送られるように、マルチキャストパケットを振り分けるパケット振分部とを備え、パケット振分部は、マルチキャストパケットに含まれる、マルチキャストグループに関する情報に基づいて、マルチキャストパケットを振り分ける。【選択図】図２
2020155888.tif 000002
【特許請求の範囲】
【請求項１】
ＩＰパケットを中継するための中継機器に着脱可能に構成された、ＰＯＮシステムのための加入者回線集約機器であって、
前記ＰＯＮシステムの複数の伝送速度にそれぞれ対応して設けられた、複数の送信ポートと、
前記複数の送信ポートの各々から送られた下り方向のパケットを光信号に変換して、前記光信号を加入者回線に出力する光送信部と、
前記パケットがマルチキャストパケットである場合に、前記マルチキャストパケットが配信されるべき加入者端末の属するマルチキャストグループの伝送速度に対応した送信ポートを、前記複数の送信ポートから選択して、その選択された送信ポートから前記光送信部に前記マルチキャストパケットが送られるように、前記マルチキャストパケットを振り分けるパケット振分部とを備え、
前記パケット振分部は、前記マルチキャストパケットに含まれる、前記マルチキャストグループに関する情報に基づいて、前記マルチキャストパケットを振り分ける、加入者回線集約機器。
【請求項２】
前記マルチキャストグループに関する前記情報は、ＶＬＡＮ  ＩＤである、請求項１に記載の加入者回線集約機器。
【請求項３】
前記パケット振分部は、
前記マルチキャストパケットに含まれるＶＬＡＮ  ＩＤと、管理装置から通知されたＶＬＡＮ  ＩＤとを照合することにより、前記マルチキャストパケットを振り分ける、請求項２に記載の加入者回線集約機器。
【請求項４】
前記パケット振分部は、前記加入者端末からマルチキャスト通信を要求する要求パケットを受信すると、前記管理装置に、前記ＶＬＡＮ  ＩＤの設定を要求する、請求項３に記載の加入者回線集約機器。
【請求項５】
前記パケット振分部は、前記加入者端末のリンクアップを検出すると、前記管理装置に、前記ＶＬＡＮ  ＩＤの設定を要求する、請求項３に記載の加入者回線集約機器。
【請求項６】
ＰＯＮ局側装置であって、
ＩＰパケットを中継するための中継機器と、
前記中継機器に着脱可能に構成された加入者回線集約機器とを備え、
前記加入者回線集約機器は、
複数の伝送速度にそれぞれ対応して設けられた、複数の送信ポートと、
前記複数の送信ポートの各々から送られた下り方向のパケットを光信号に変換して、前記光信号を加入者回線に出力する光送信部と、
前記パケットがマルチキャストパケットである場合に、前記マルチキャストパケットが配信されるべき加入者端末の属するマルチキャストグループの伝送速度に対応した送信ポートを、前記複数の送信ポートから選択して、その選択された送信ポートから前記光送信部に前記マルチキャストパケットが送られるように、前記マルチキャストパケットを振り分けるパケット振分部とを備え、
前記パケット振分部は、前記マルチキャストパケットに含まれる、前記マルチキャストグループに関する情報に基づいて、前記マルチキャストパケットを振り分ける、ＰＯＮ局側装置。
【請求項７】
ＰＯＮシステムであって、
ＩＰパケットを中継するための中継機器と、
前記中継機器に着脱可能に構成された加入者回線集約機器と、
複数の伝送速度にそれぞれ対応した複数の加入者端末とを備え、
前記加入者回線集約機器は、
複数の伝送速度にそれぞれ対応して設けられた、複数の送信ポートと、
前記複数の送信ポートの各々から送られた下り方向のパケットを光信号に変換して、前記光信号を加入者回線に出力する光送信部とを含み、
前記加入者回線集約機器は、下り方向のパケットがマルチキャストパケットである場合に、前記マルチキャストパケットが配信されるべき加入者端末の属するマルチキャストグループの伝送速度に対応した送信ポートを、複数の送信ポートから選択して、その選択された送信ポートから前記光送信部に前記マルチキャストパケットが送られるように、前記マルチキャストパケットを振り分ける、ＰＯＮシステム。
【請求項８】
ＩＰパケットを中継するための中継機器に着脱可能に構成された加入者回線集約機器の制御方法であって、前記加入者回線集約機器は、
複数の伝送速度にそれぞれ対応して設けられた、複数の送信ポートと、
前記複数の送信ポートの各々から送られた下り方向のパケットを光信号に変換して、前記光信号を加入者回線に出力する光送信部とを含み、
前記制御方法は、
前記パケットがマルチキャストパケットである場合に、前記マルチキャストパケットに含まれる、マルチキャストグループに関する情報に基づいて、前記マルチキャストパケットが配信されるべき加入者端末のグループの伝送速度に対応した送信ポートを、前記複数の送信ポートから選択するステップと、
前記選択するステップにおいて選択された送信ポートから前記光送信部に前記マルチキャストパケットが送られるように、前記マルチキャストパケットを振り分けるステップとを備える、加入者回線集約機器の制御方法。
【発明の詳細な説明】
【技術分野】
【０００１】
本開示は、加入者回線集約機器、ＰＯＮ局側装置、ＰＯＮシステムおよび加入者回線集約機器の制御方法に関する。
【背景技術】
【０００２】
特開２００６−３５２３５０号公報（特許文献１）は、ＯＬＴ（Optical Line Terminal）と、ＯＬＴに接続された複数のＯＮＵ（Optical Network Unit）とを有するＰＯＮ（Passive Optical Network）システムを開示する。近年、仮想化ＯＬＴ（仮想化ＰＯＮ）と呼ばれるシステムが検討されている。このシステムでは、従来のＯＬＴが有するネットワーク機能が、外部サーバによって管理される（たとえば非特許文献１を参照）。一方、ＶＤＳＬ２方式では、従来のＶＤＳＬ集合装置に替わる構成が検討されている。たとえば、汎用スイッチに接続することによりＶＤＳＬ２方式の通信が可能なＳＦＰ（Small Form Factor Pluggable）モジュールが開発されている（たとえば非特許文献２を参照）。
【先行技術文献】
【特許文献】
【０００３】
【特許文献１】特開２００６−３５２３５０号公報
【非特許文献】
【０００４】
【非特許文献１】Open Networking Foundation、［online］、２０１９年、［２０１９年１月７日検索］、インターネット〈URL：https://www.opennetworking.org/voltha/〉
【非特許文献２】"Small Form-Factor Pluggable Long Reach Ethernet over VDSL2"、［online］、［２０１９年１月７日検索］、インターネット〈URL：https://www.comnet.net/comnet-products/accessories/sfp-vdsl>
【発明の概要】
【発明が解決しようとする課題】
【０００５】
非特許文献１に開示されるような仮想化ＰＯＮにおいても、ＯＬＴのハードウェアを従来よりも小型化することが考えられる。しかし、ＯＬＴを小型化することにより、ＯＬＴに搭載される部品も制限されうる。このため、小型化されたＯＬＴの場合には、その機能が限定されることが想定される。一方で、加入者回線を集約する機能はＯＬＴにとって必要である。したがって小型化されたＯＬＴにおいては、従来のＯＬＴよりも、上位装置との間の通信に関する機能が制限される可能性がある。しかしながら上記のいずれの文献も、１つのトランシーバモジュールによって１Ｇ−ＥＰＯＮと１０Ｇ−ＥＰＯＮとの両方をサポートすることを開示していない。
【０００６】
１つのトランシーバモジュールにより１Ｇ−ＥＰＯＮと１０Ｇ−ＥＰＯＮとの両方をサポートする場合、下り通信の帯域を効率的に利用するためのトランシーバモジュールの制御が要求される。たとえば１Ｇ−ＥＰＯＮ用の通信のみが必要であるにもかかわらず、１Ｇ−ＥＰＯＮ用の通信と１０Ｇ−ＥＰＯＮ用の通信との両方を行うと、トランシーバモジュールとＯＮＵとの間の通信帯域を必要以上に消費する可能性がある。
【０００７】
したがって、本開示は、複数の伝送速度での通信が共存するＰＯＮシステムにおいて、下り方向の通信帯域の効率的な利用を可能にすることを目的とする。
【課題を解決するための手段】
【０００８】
本開示の加入者回線集約機器は、ＩＰパケットを中継するための中継機器に着脱可能に構成された、ＰＯＮシステムのための加入者回線集約機器であって、ＰＯＮシステムの複数の伝送速度にそれぞれ対応して設けられた、複数の送信ポートと、複数の送信ポートの各々から送られた下り方向のパケットを光信号に変換して、光信号を加入者回線に出力する光送信部と、パケットがマルチキャストパケットである場合に、マルチキャストパケットが配信されるべき加入者端末の属するマルチキャストグループの伝送速度に対応した送信ポートを、複数の送信ポートから選択して、その選択された送信ポートから光送信部にマルチキャストパケットが送られるように、マルチキャストパケットを振り分けるパケット振分部とを備え、パケット振分部は、マルチキャストパケットに含まれる、マルチキャストグループに関する情報に基づいて、マルチキャストパケットを振り分ける、加入者回線集約機器である。
【０００９】
本開示のＰＯＮ局側装置は、ＩＰパケットを中継するための中継機器と、中継機器に着脱可能に構成された加入者回線集約機器とを備え、加入者回線集約機器は、複数の伝送速度にそれぞれ対応して設けられた、複数の送信ポートと、複数の送信ポートの各々から送られた下り方向のパケットを光信号に変換して、光信号を加入者回線に出力する光送信部と、パケットがマルチキャストパケットである場合に、マルチキャストパケットが配信されるべき加入者端末の属するマルチキャストグループの伝送速度に対応した送信ポートを、複数の送信ポートから選択して、その選択された送信ポートから光送信部にマルチキャストパケットが送られるように、マルチキャストパケットを振り分けるパケット振分部とを備え、パケット振分部は、マルチキャストパケットに含まれる、マルチキャストグループに関する情報に基づいて、マルチキャストパケットを振り分ける、ＰＯＮ局側装置である。
【００１０】
本開示のＰＯＮシステムは、ＩＰパケットを中継するための中継機器と、中継機器に着脱可能に構成された加入者回線集約機器と、複数の伝送速度にそれぞれ対応した複数の加入者端末とを備え、加入者回線集約機器は、複数の伝送速度にそれぞれ対応して設けられた、複数の送信ポートと、複数の送信ポートの各々から送られた下り方向のパケットを光信号に変換して、光信号を加入者回線に出力する光送信部とを含み、加入者回線集約機器は、下り方向のパケットがマルチキャストパケットである場合に、マルチキャストパケットが配信されるべき加入者端末の属するマルチキャストグループの伝送速度に対応した送信ポートを、複数の送信ポートから選択して、その選択された送信ポートから光送信部にマルチキャストパケットが送られるように、マルチキャストパケットを振り分ける、ＰＯＮシステムである。
【００１１】
本開示のＩＰパケットを中継するための中継機器に着脱可能に構成された加入者回線集約機器の制御方法において、加入者回線集約機器は、複数の伝送速度にそれぞれ対応して設けられた、複数の送信ポートと、複数の送信ポートの各々から送られた下り方向のパケットを光信号に変換して、光信号を加入者回線に出力する光送信部とを含み、制御方法は、パケットがマルチキャストパケットである場合に、マルチキャストパケットに含まれる、マルチキャストグループに関する情報に基づいて、マルチキャストパケットが配信されるべき加入者端末のグループの伝送速度に対応した送信ポートを、複数の送信ポートから選択するステップと、選択するステップにおいて選択された送信ポートから光送信部にマルチキャストパケットが送られるように、マルチキャストパケットを振り分けるステップとを備える、加入者回線集約機器の制御方法である。
【発明の効果】
【００１２】
本開示によれば、複数の伝送速度での通信が共存するＰＯＮシステムにおいて、下り方向の通信帯域を効率的に利用することが可能となる。
【図面の簡単な説明】
【００１３】
【図１】図１は、本開示の実施の形態に係るＰＯＮシステムの概略構成図である。
【図２】図２は、図１に示す加入者回線集約機器の概略的な構成を示したブロック図である。
【図３】図３は、本開示の実施の形態に係るデータ振分を省略した場合に想定されるマルチキャストパケットの伝送を説明するための図である。
【図４】図４は、マルチキャスト通信のための中継機器および加入者回線集約機器の設定の流れの一例を示したシーケンス図である。
【図５】図５は、管理装置に登録されるテーブルの構成の例を示した図である。
【図６】図６は、中継装置および加入者回線集約機器によるパケットの処理を説明する図である。
【図７】図７は、マルチキャスト通信のための中継機器および加入者回線集約機器の設定の流れの別の例を示したシーケンス図である。
【発明を実施するための形態】
【００１４】
[本開示の実施形態の説明]
最初に本開示の実施態様を列記して説明する。
【００１５】
（１）本開示の加入者回線集約機器は、ＩＰパケットを中継するための中継機器に着脱可能に構成された、ＰＯＮシステムのための加入者回線集約機器であって、ＰＯＮシステムの複数の伝送速度にそれぞれ対応して設けられた、複数の送信ポートと、複数の送信ポートの各々から送られた下り方向のパケットを光信号に変換して、光信号を加入者回線に出力する光送信部と、パケットがマルチキャストパケットである場合に、マルチキャストパケットが配信されるべき加入者端末の属するマルチキャストグループの伝送速度に対応した送信ポートを、複数の送信ポートから選択して、その選択された送信ポートから光送信部にマルチキャストパケットが送られるように、マルチキャストパケットを振り分けるパケット振分部とを備え、パケット振分部は、マルチキャストパケットに含まれる、マルチキャストグループに関する情報に基づいて、マルチキャストパケットを振り分ける、加入者回線集約機器である。
【００１６】
上記によれば、複数の伝送速度での通信が共存するＰＯＮシステムにおいて、下り方向の通信帯域を効率的に利用することが可能となる。加入者回線集約機器がマルチキャストパケットを振り分けることができない場合には、複数の伝送速度のいずれかでの通信を考慮して、複数の送信ポートの各々からマルチキャストパケットを光送信部に送る必要がある。しかし、この場合には、下り方向の通信帯域を必要以上に消費する。マルチキャストパケットが配信されるべき加入者端末の伝送速度に対応した送信ポートを、複数の送信ポートから選択する。その選択された送信ポートから光送信部にマルチキャストパケットが送られるように、マルチキャストパケットを振り分ける。したがって、下り方向の通信帯域の効率的な利用が可能である。
【００１７】
（２）好ましくは、マルチキャストグループに関する情報は、ＶＬＡＮ  ＩＤである。
上記によれば、パケット振分部は、マルチキャストパケットが配信されるべき加入者端末の伝送速度に対応した送信ポートを識別することができる。
【００１８】
（３）好ましくは、パケット振分部は、マルチキャストパケットに含まれるＶＬＡＮ  ＩＤと、管理装置から通知されたＶＬＡＮ  ＩＤとを照合することにより、マルチキャストパケットを振り分ける。
【００１９】
上記によれば、管理装置がＶＬＡＮ  ＩＤを設定し、加入者回線集約機器は、その設定に関する情報を引き継ぐ。加入者回線集約機器がＶＬＡＮ  ＩＤを設定する必要が無い。したがって加入者回線集約機器の機能を簡略にすることができる。
【００２０】
（４）好ましくは、パケット振分部は、加入者端末からマルチキャスト通信を要求する要求パケットを受信すると、管理装置に、ＶＬＡＮ  ＩＤの設定を要求する。
【００２１】
上記によれば、加入者回線集約機器が要求パケットを受信したことをトリガとしてＶＬＡＮ  ＩＤを設定することができる。
【００２２】
（５）好ましくは、パケット振分部は、加入者端末のリンクアップを検出すると、管理装置に、ＶＬＡＮ  ＩＤの設定を要求する。
【００２３】
上記によれば、加入者端末のリンクアップをトリガとしてＶＬＡＮ  ＩＤを設定することができる。
【００２４】
（６）本開示のＰＯＮ局側装置は、ＩＰパケットを中継するための中継機器と、中継機器に着脱可能に構成された加入者回線集約機器とを備え、加入者回線集約機器は、複数の伝送速度にそれぞれ対応して設けられた、複数の送信ポートと、複数の送信ポートの各々から送られた下り方向のパケットを光信号に変換して、光信号を加入者回線に出力する光送信部と、パケットがマルチキャストパケットである場合に、マルチキャストパケットが配信されるべき加入者端末の属するマルチキャストグループの伝送速度に対応した送信ポートを、複数の送信ポートから選択して、その選択された送信ポートから光送信部にマルチキャストパケットが送られるように、マルチキャストパケットを振り分けるパケット振分部とを備え、パケット振分部は、マルチキャストパケットに含まれる、マルチキャストグループに関する情報に基づいて、マルチキャストパケットを振り分ける、ＰＯＮ局側装置である。
【００２５】
上記によれば、複数の伝送速度での通信が共存するＰＯＮシステムにおいて、下り方向の通信帯域を効率的に利用することが可能となる。
【００２６】
（７）本開示のＰＯＮシステムは、ＩＰパケットを中継するための中継機器と、中継機器に着脱可能に構成された加入者回線集約機器と、複数の伝送速度にそれぞれ対応した複数の加入者端末とを備え、加入者回線集約機器は、複数の伝送速度にそれぞれ対応して設けられた、複数の送信ポートと、複数の送信ポートの各々から送られた下り方向のパケットを光信号に変換して、光信号を加入者回線に出力する光送信部とを含み、加入者回線集約機器は、下り方向のパケットがマルチキャストパケットである場合に、マルチキャストパケットが配信されるべき加入者端末の属するマルチキャストグループの伝送速度に対応した送信ポートを、複数の送信ポートから選択して、その選択された送信ポートから光送信部にマルチキャストパケットが送られるように、マルチキャストパケットを振り分ける、ＰＯＮシステムである。
【００２７】
上記によれば、複数の伝送速度での通信が共存するＰＯＮシステムにおいて、下り方向の通信帯域を効率的に利用することが可能となる。
【００２８】
（８）本開示のＩＰパケットを中継するための中継機器に着脱可能に構成された加入者回線集約機器の制御方法において、加入者回線集約機器は、複数の伝送速度にそれぞれ対応して設けられた、複数の送信ポートと、複数の送信ポートの各々から送られた下り方向のパケットを光信号に変換して、光信号を加入者回線に出力する光送信部とを含み、制御方法は、パケットがマルチキャストパケットである場合に、マルチキャストパケットに含まれる、マルチキャストグループに関する情報に基づいて、マルチキャストパケットが配信されるべき加入者端末のグループの伝送速度に対応した送信ポートを、複数の送信ポートから選択するステップと、選択するステップにおいて選択された送信ポートから光送信部にマルチキャストパケットが送られるように、マルチキャストパケットを振り分けるステップとを備える、加入者回線集約機器の制御方法である。
【００２９】
上記によれば、複数の伝送速度での通信が共存するＰＯＮシステムにおいて、下り方向の通信帯域を効率的に利用することが可能となる。
【００３０】
[本開示の実施形態の詳細]
以下、本開示の実施の形態について図面を用いて説明する。図中同一または相当部分には同一符号を付してその説明は繰り返さない。
【００３１】
図１は、本開示の実施の形態に係るＰＯＮシステムの概略構成図である。ＰＯＮシステム１００は、管理サーバ１と、ネットワーク２と、ＰＯＮ局側装置であるＯＬＴ３と、１つ以上のＯＮＵ（加入者端末機器）と、加入者回線５とを含む。図１には、４つのＯＮＵ（ＯＮＵ４Ａ，４Ｂ，４Ｃ，４Ｄ）が例示される。ＯＮＵの数は特に限定されるものではない。
【００３２】
管理サーバ１および配信サーバ８は、ネットワーク２に接続される。管理サーバ１は、ＰＯＮシステム１００を管理する管理装置である。配信サーバ８は、コンテンツを配信するためのサーバである。
【００３３】
ＰＯＮ局側装置３は、中継機器１１と、加入者回線集約機器１２とを含む。中継機器１１は、ＩＰパケットを中継するための装置であり、ネットワーク２に接続される。中継機器１１は汎用の中継機器によって実現可能である。たとえば汎用のイーサネット（登録商標）スイッチを中継機器１１に適用できる。
【００３４】
加入者回線集約機器１２は、加入者回線を集約する機能を有する。加入者回線集約機器１２は、中継機器１１のポート１３に接続され、中継機器１１に対して着脱可能である。加入者回線集約機器１２の形状は、加入者回線集約機器１２がポート１３への着脱を可能とする任意の形状とすることができる。加入者回線集約機器１２の形状は、ポート１３の規格に応じて決定することができる。一例では、加入者回線集約機器１２の形状は、ＳＦＰ＋に従う形状であってもよい。
【００３５】
ＯＮＵ４Ａ，４Ｂ，４Ｃ，４Ｄの各々は加入者側に設置された光回線終端装置である。ＯＮＵ４Ａ，４Ｂ，４Ｃ，４Ｄは、それぞれ加入者回線５Ａ，５Ｂ，５Ｃにより加入者回線集約機器１２に接続される。
【００３６】
図１に示した例では、加入者側では、ＯＮＵにホームゲートウェイ（ＨＧＷ）が接続される（ホームゲートウェイ６Ａ，６Ｂ，６Ｃ，６Ｄ）。ホームゲートウェイはルータ機能を有することができる。ユーザ端末は、ホームゲートウェイに有線または無線で接続される（ユーザ端末７Ａ，７Ｂ，７Ｃ，７Ｄ）。ユーザ端末の種類および数は特に限定されない。
【００３７】
本開示によれば、ＰＯＮシステム１００は、複数の伝送速度（ビットレート）での通信が可能に構成される。一例では、ＰＯＮシステム１００は、１Ｇ−ＥＰＯＮ（ＧＥ−ＰＯＮ）および１０Ｇ−ＥＰＯＮが共存するシステムである。したがって、ＯＬＴ３は、１Ｇ−ＥＰＯＮ用ＯＮＵおよび１０Ｇ−ＥＰＯＮ用ＯＮＵの各々と通信することができる。図１に示した例では、ＯＮＵ４ＡおよびＯＮＵ４Ｂは、１Ｇ−ＥＰＯＮ用のＯＮＵであり、ＯＮＵ４ＣおよびＯＮＵ４Ｄは、１０Ｇ−ＥＰＯＮ用のＯＮＵである。
【００３８】
管理サーバ１は、加入者回線管理部２１を有する。加入者回線管理部２１は、加入者回線集約機器１２によって集約される加入者回線を管理および制御する。加入者回線管理部２１は、管理サーバ１の演算装置がソフトウェアモジュールを実行することにより実現される。したがって加入者回線集約機器１２は、加入者回線を管理する機能を有していなくてもよい。
【００３９】
図１に示したＰＯＮシステムは、ユニキャスト通信、ブロードキャスト通信およびマルチキャスト通信のいずれも可能である。マルチキャスト通信とは、特定の複数の端末（ノード）に対して同時にデータを送信することである。
【００４０】
たとえば１Ｇ−ＥＰＯＮ用ＯＮＵであるＯＮＵ４Ａからマルチキャスト通信の要求パケット（図１に示さず）が送信される。その要求パケットに応答して、ＯＬＴ３から下り方向のマルチキャストパケットが送信される。この場合、ＯＬＴ３は、１Ｇ−ＥＰＯＮ用のマルチキャストパケットを送信する。マルチキャスト通信では、マルチキャスト通信の要求パケットを送信したＯＮＵのみ、通信を疎通する。したがってＯＮＵ４Ａのみがデータを疎通する。ＯＮＵ４ＢはＯＮＵ４Ａと同じ１Ｇ−ＥＰＯＮ用ＯＮＵである。ＯＮＵ４Ｂが、ＯＮＵ４Ａと同じマルチキャストグループに参加していない場合、ＯＮＵ４Ｂは、ＯＬＴ３からのマルチキャストパケットを受信するものの、そのパケットを廃棄する。
【００４１】
図２は、図１に示す加入者回線集約機器１２の概略的な構成を示したブロック図である。加入者回線集約機器１２は、データ受信部３１と、データ送信部３２と、処理回路３３と、光送信部３４と、光受信部３５とを含む。処理回路３３は、パケット振分部４０と、１０Ｇ送信ポート４１と、１Ｇ送信ポート４２と、受信ポート４３とを含む。処理回路３３は、たとえば半導体集積回路により実現される。
【００４２】
パケット振分部４０は、下りデータがマルチキャストパケットである場合に、そのマルチキャストパケットが配信されるべき加入者端末のグループの伝送速度に対応した送信ポートを、１０Ｇ送信ポート４１および１Ｇ送信ポート４２の中から選択する。パケット振分部４０は、その選択された送信ポートから光送信部３４にマルチキャストパケットが送られるように、マルチキャストパケットを振り分ける。
【００４３】
上述のマルチキャスト通信を実行する場合、中継機器１１から送られた下り方向のマルチキャストパケットは、ＶＬＡＮ（Virtual Local Area Network）  ＩＤを含む。ＶＬＡＮ  ＩＤは、マルチキャストグループに関する情報に相当する。この開示では、１Ｇ−ＥＰＯＮ用通信と１０Ｇ−ＥＰＯＮ用通信とに対して互いに異なるＶＬＡＮ  ＩＤが割り当てられる。パケット振分部４０は、データ受信部３１を介して中継機器１１から下り方向のマルチキャストパケットを受信する。パケット振分部４０は、ＶＬＡＮ  ＩＤに基づいて、そのマルチキャストパケットの伝送が１０Ｇ−ＥＰＯＮ用の通信および１Ｇ−ＥＰＯＮ用の通信のどちらであるかを判別することができる。
【００４４】
さらに、パケット振分部４０は、マルチキャストパケットに含まれるＶＬＡＮ  ＩＤに基づいて、ロジカルリンクを設定するとともに、そのロジカルリンクを識別するためのＬＬＩＤ（Logical Link ID）を設定する。このために、パケット振分部４０は、ＶＬＡＮ−ＬＬＩＤ設定部４５と、ＶＬＡＮ−ＬＬＩＤ設定情報記憶部４６とを含む。ＶＬＡＮ−ＬＬＩＤ設定部４５は、ＶＬＡＮ−ＬＬＩＤ設定情報記憶部４６に記憶される情報に基づいて、ＶＬＡＮ  ＩＤからＬＬＩＤを特定する。ＶＬＡＮ−ＬＬＩＤ設定情報記憶部４６は、ＶＬＡＮ  ＩＤとＬＬＩＤとを対応付けた情報を記憶する。
【００４５】
マルチキャストパケットの伝送が１０Ｇ−ＥＰＯＮ用の通信である場合、パケット振分部４０は、マルチキャストパケットを１０Ｇ送信ポート４１に振り分ける。一方、マルチキャストパケットの伝送が１Ｇ−ＥＰＯＮ用の通信である場合、パケット振分部４０は、マルチキャストパケットを１Ｇ送信ポート４２に振り分ける。
【００４６】
光送信部３４は、下り方向のパケットをＯＮＵに送信するための光信号を生成して、その光信号を加入者回線５を通じてＯＮＵに送信する。この実施形態では、光送信部３４は、１０Ｇ−ＥＰＯＮ用の通信のための光信号を送信する１０Ｇ光送信部５１と、１Ｇ−ＥＰＯＮ用の通信のための光信号を送信する１Ｇ光送信部５２とを含む。
【００４７】
一方、ＯＮＵは光信号の形態で上り方向のパケットを送信する。光受信部３５は、ＯＮＵからの光信号を受信して、その光信号を電気信号に変換する。パケット振分部４０は、受信ポート４３を介して上り方向のパケットを受けて、そのパケットをデータ送信部３２に送る。
【００４８】
図３は、本開示の実施の形態に係るデータ振分を省略した場合に想定されるマルチキャストパケットの伝送を説明するための図である。たとえば、１Ｇ−ＥＰＯＮ用ＯＮＵ（１Ｇ−ＥＰＯＮ用ＯＮＵからなるマルチキャストグループでもよい）がマルチキャストパケットの受信を要求したとする。加入者回線集約機器１２は、上位システムからマルチキャストパケットを受信するものの、そのマルチキャストパケットを、マルチキャストパケットを要求する１Ｇ−ＥＰＯＮ用ＯＮＵに振り分けることができない。１０Ｇ−ＥＰＯＮ用ＯＮＵがマルチキャストパケットの受信を要求する場合にも、加入者回線集約機器１２は、下り方向のマルチキャストパケットを、マルチキャストパケットを要求する１０Ｇ−ＥＰＯＮ用ＯＮＵに振り分けることができない。
【００４９】
このような問題を解決するために、図３に示されるように１０Ｇ送信ポート４１および１Ｇ送信ポート４２の両方にマルチキャストパケットを送ることが考えられる。この場合、マルチキャストパケットを要求したＯＮＵは、パケットを受けることができる。一方で、光送信部３４は、１Ｇ−ＥＰＯＮ用の通信のための光信号と１０Ｇ−ＥＰＯＮ用の通信のための光信号とを発生させる。したがって不要な通信も発生する。言い換えると、加入者回線集約機器１２とＯＮＵとの間の通信帯域が必要以上に消費されるという課題が発生する。
【００５０】
本開示の実施形態では、ＶＬＡＮ−ＬＬＩＤ設定部４５が、マルチキャストパケットに付与されたＶＬＡＮ  ＩＤに基づいて、当該マルチキャストパケットが１Ｇ−ＥＰＯＮ用ＯＮＵおよび１０Ｇ−ＥＰＯＮ用ＯＮＵのうちのいずれに送られるべきパケットであるかを判断する。その判断結果に基づいて１０Ｇ送信ポート４１または１Ｇ送信ポート４２のいずれかにマルチキャストパケットを振り分ける。これにより、複数の伝送速度での通信が共存するＰＯＮシステムにおいて、下り方向の通信帯域を効率的に利用することが可能となる。
【００５１】
上記のようなマルチキャストパケットの振り分けを実行するためには、１Ｇ−ＥＰＯＮ用のＶＬＡＮ  ＩＤおよび１０Ｇ−ＥＰＯＮ用のＶＬＡＮ  ＩＤを設定する必要がある。さらに、中継機器１１と加入者回線集約機器１２との間ではＶＬＡＮ  ＩＤに関する設定内容を一致させる必要がある。
【００５２】
図４は、マルチキャスト通信のための中継機器１１および加入者回線集約機器１２の設定の流れの一例を示したシーケンス図である。図４に示すように、たとえば１Ｇ−ＥＰＯＮ用ＯＮＵ（たとえばＯＮＵ４Ａ）からマルチキャスト通信の要求パケットが送信される（ステップＳ１）。
【００５３】
加入者回線集約機器１２は、その要求パケットを受信して、そのパケットに含まれる情報を管理サーバ１（管理装置）へと送信する（ステップＳ２）。
【００５４】
管理サーバ１は、加入者回線集約機器１２および中継機器１１に割り当てるＶＬＡＮ  ＩＤを決定して、ＶＬＡＮ  ＩＤをテーブルに登録する。そして、そのＶＬＡＮ  ＩＤを各装置に設定する。これにより、中継機器１１および加入者回線集約機器１２に、１Ｇ−ＥＰＯＮ用ＯＮＵ（たとえばＯＮＵ４Ａ）のＶＬＡＮ  ＩＤが設定される（ステップＳ３）。図４に示した例では、加入者回線集約機器１２が要求パケットを受信したことをトリガとしてＶＬＡＮ  ＩＤを設定することができる。加入者回線集約機器１２は、管理サーバ１により設定されたＶＬＡＮ  ＩＤの情報を引き継ぐので、ＶＬＡＮ  ＩＤを設定しなくてもよい。したがって加入者回線集約機器１２の機能を簡略にすることができる。
【００５５】
中継機器１１および加入者回線集約機器１２の設定が終了すると、要求パケットを送信したＯＮＵと、ＯＬＴ３（中継機器１１および加入者回線集約機器１２）との間でマルチキャスト通信の疎通が開始する（ステップＳ４）。
【００５６】
図５は、管理装置に登録されるテーブルの構成の例を示した図である。図５に示すテーブルにおいて「通信装置」との表記は中継機器を表し、「回線集約装置」との表記は、加入者回線集約機器を表す。図５に示すように、１台の中継機器に複数の加入者回線集約機器が接続されてもよい。また、管理装置は、複数の中継機器を管理することもできる。したがって図５に示す例では、管理装置が管理する加入者回線集約機器ごとに、１Ｇ−ＥＰＯＮ用のＶＬＡＮ  ＩＤと、１０Ｇ−ＥＰＯＮ用のＶＬＡＮ  ＩＤとが設定される。
【００５７】
図６は、中継装置および加入者回線集約機器によるパケットの処理を説明する図である。配信サーバから送信されたパケットは、データと、送信元である配信サーバを特定するためのソースＩＰアドレス（Source IP Address）と、当該データを受信すべきマルチキャストグループを特定するためのグループＩＰアドレス（Group IP Address)と、マルチキャストＭＡＣ(Media Access Control)アドレスを格納したＭＡＣ(Media Access Control)ヘッダとを含む。なお、配信サーバと中継機器との間のネットワーク構成に依存して、管理装置により設定されたＶＬＡＮ  ＩＤとは異なるＶＬＡＮ  ＩＤが、パケットに格納されてもよい。
【００５８】
中継機器１１は、パケットを配信サーバから受信すると、パケットにＶＬＡＮ  ＩＤを付与する。図５を参照して、たとえば中継機器１１が「通信装置１」に該当し、加入者回線集約機器１２が「回線集約装置１」に該当し、パケットが１Ｇ−ＥＰＯＮ用ＯＮＵ（たとえばＯＮＵ４Ａ）のためのパケットである場合、ＶＬＡＮ  ＩＤは「ｖｌａｎ１００」である。したがって、中継機器１１は、パケットにＶＬＡＮ  ＩＤとして「ｖｌａｎ１００」を付加して、そのパケットを加入者回線集約機器１２に送る。
【００５９】
加入者回線集約機器１２（パケット振分部４０）は、中継機器１１からパケットを受信して、管理サーバ１からから通知されたＶＬＡＮ  ＩＤと、パケットに含まれるＶＬＡＮ  ＩＤとを照合する。その照合結果に基づいて、パケット振分部４０はパケットを振り分ける。加入者回線集約機器１２は送信先の１Ｇ−ＥＰＯＮ用ＯＮＵ（ＯＮＵ４Ａ）にパケットを送る。パケットをＯＮＵに送信する際に、加入者回線集約機器１２は、パケットからＶＬＡＮ  ＩＤを削除してもよい。あるいは、ＯＮＵ４Ａがパケットを受信した後に、ＯＮＵ４ＡにおいてＶＬＡＮ  ＩＤが削除されてもよい。
【００６０】
図７は、マルチキャスト通信のための中継機器１１および加入者回線集約機器１２の設定の流れの別の例を示したシーケンス図である。図７に示す例では、ＯＮＵのリンクアップ時に、設定が実行される。
【００６１】
最初に、あるＯＮＵ（たとえばＯＮＵ４Ａ）がリンクアップする（ステップＳ１１）。ＯＮＵのリンクアップは、ＥＰＯＮにおける一般的なリンクアップの手順に従って実行することが可能である。ＯＮＵがリンクアップすることにより、加入者回線集約機器１２は、リンクアップの情報を管理装置に送信する（ステップＳ１２）。
【００６２】
管理サーバ１は、そのＯＮＵに割り当てるＶＬＡＮ  ＩＤを決定して、ＶＬＡＮ  ＩＤをテーブルに登録する。そして、そのＶＬＡＮ  ＩＤを中継機器１１および加入者回線集約機器１２に設定する（ステップＳ１３）。ステップＳ１３の処理は、図４に示したステップＳ３の処理と同じである。
【００６３】
設定の完了後に、ＯＮＵからマルチキャスト通信の要求パケットが送信される（ステップＳ１４）。要求パケットを送信したＯＮＵと、ＯＬＴ３（中継機器１１および加入者回線集約機器１２）との間でマルチキャスト通信の疎通が開始される（ステップＳ１５）。
【００６４】
本開示の実施の形態によれば、ＯＬＴは、中継機器と、その中継機器に着脱可能な加入者回線集約機器を含む。中継機器は汎用的な通信装置である。加入者回線集約機器を小型化／省力化することにより、加入者回線集約機器に搭載される部品も制限されうる。
【００６５】
ＰＯＮシステムにおいて、光送信部および光受信部は、加入者回線集約機器に備わっている必要がある。したがって小型化された加入者回線集約機器においては、上位装置との間の通信に関する機能が制限される可能性がある。しかし図３に示すように、マルチキャストパケットを振り分けることができない場合には、下り方向の通信帯域を必要以上に消費する。本開示の実施の形態によれば、マルチキャストパケットが配信されるべき加入者端末の伝送速度に対応した送信ポートを、複数の送信ポートから選択する。その選択された送信ポートから光送信部にマルチキャストパケットが送られるように、マルチキャストパケットを振り分ける。したがって、本開示の実施の形態によれば、複数の伝送速度に対応可能なＰＯＮシステムでマルチキャスト通信を行う際に、下り方向の通信帯域の効率的な利用が可能である。
【００６６】
今回開示された実施の形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【００６７】
１  管理サーバ
２  ネットワーク
３  ＯＬＴ（ＰＯＮ局側装置）
４Ａ，４Ｂ，４Ｃ，４Ｄ  ＯＮＵ（加入者端末機器）
５，５Ａ，５Ｂ，５Ｃ  加入者回線
６Ａ，６Ｂ，６Ｃ，６Ｄ  ホームゲートウェイ
７Ａ，７Ｂ，７Ｃ，７Ｄ  ユーザ端末
８  配信サーバ
１１  中継機器
１２  加入者回線集約機器
１３  ポート
２１  加入者回線管理部
３１  データ受信部
３２  データ送信部
３３  処理回路
３４  光送信部
３５  光受信部
４０  パケット振分部
４１  １０Ｇ送信ポート
４２  １Ｇ送信ポート
４３  受信ポート
４５  ＶＬＡＮ−ＬＬＩＤ設定部
４６  ＶＬＡＮ−ＬＬＩＤ設定情報記憶部
５１  １０Ｇ光送信部
５２  １Ｇ光送信部
１００  ＰＯＮシステム
Ｓ１，Ｓ２，Ｓ３，Ｓ４，Ｓ１１，Ｓ１２，Ｓ１３，Ｓ１４，Ｓ１５  ステップ
【図１】
2020155888.tif 000003
【図２】
2020155888.tif 000004
【図３】
2020155888.tif 000005
【図４】
2020155888.tif 000006
【図５】
2020155888.tif 000007
【図６】
2020155888.tif 000008
【図７】
2020155888.tif 000009